(57)【要約】【課題】任意の場所の任意のＩＰ電話端末においても自席のＩＰ電話端末を同じ感覚で使用できるＩＰ電話端末サービスシステムを提供する。【解決手段】ＩＰ電話端末２とＬＡＮ３を介して接続されたＩＰ化対応のＩＰ−ＰＢＸ１によるＩＰ電話端末サービスシステムにおいて、ＩＰ−ＰＢＸ１は、ＩＰ電話端末２毎に、ユーザ認証番号，パスワード，内線番号の対応データと、ユーザ認証番号，自席ＩＰ電話端末のＩＰアドレスの対応データとをデータベースに保存してる。ユーザが任意のＩＰ電話端末２を使用して、自己のユーザ認証番号とパスワードを入力すると、ＩＰ−ＰＢＸ１は、入力されたユーザ認証番号対応の内線番号と自席ＩＰ電話端末のＩＰアドレスとをデータベースから検出して当該ＩＰ電話端末へ通知し、該ＩＰ電話端末は自席のＩＰ電話端末から個人情報をダウンロードすることによってログインする。【選択図】        図１
2004320629.tif 000002
【特許請求の範囲】
【請求項１】
ＩＰ電話端末とＬＡＮ接続されたＩＰ化対応の構内用電子交換機によるＩＰ電話端末サービスシステムにおいて、
前記構内用電子交換機は、前記ＩＰ電話端末毎に、ユーザ認証番号，パスワード，内線番号の対応データと、前記ユーザ認証番号，自席ＩＰ電話端末のＩＰアドレスの対応データとをデータベースに保存しており、
前記ユーザが任意のＩＰ電話端末を使用して、自己のユーザ認証番号とパスワードを入力すると、前記構内用電子交換機は、入力されたユーザ認証番号対応の内線番号と自席ＩＰ電話端末のＩＰアドレスとを前記データベースから検出して当該ＩＰ電話端末へ通知し、
該ＩＰ電話端末は自席のＩＰ電話端末から個人情報をダウンロードすることによってログインすることを特徴とするＩＰ電話端末サービスシステム。
【請求項２】
ＩＰ電話端末とＬＡＮ接続されたＩＰ化対応の構内用電子交換機によるＩＰ電話端末サービスシステムにおいて、
前記構内用電子交換機は、前記ＩＰ電話端末毎に、ユーザ認証番号，パスワード，内線番号，ＩＰアドレスの対応データと、前記ユーザ認証番号，自席ＩＰ電話端末のＩＰアドレスの対応データとをデータベースに保存しており、
前記ユーザが自己のユーザ認証番号対応のＩＰ電話端末を前記ＬＡＮに接続すると、前記構内用電子交換機は、当該ＩＰ電話端末のＩＰアドレス対応のユーザ認証番号と内線番号、および自席ＩＰ電話端末のＩＰアドレスを前記データベースから検出して当該ＩＰ電話端末へ通知し、
該ＩＰ電話端末は自席のＩＰ電話端末から個人情報をダウンロードすることによってログインすることを特徴とするＩＰ電話端末サービスシステム。
【請求項３】
ＩＰ電話端末とＬＡＮ接続されたＩＰ化対応の構内用電子交換機によるＩＰ電話端末サービスシステムにおいて、
前記構内用電子交換機は、前記ＩＰ電話端末毎に、ユーザ認証番号，パスワード，内線番号，ＩＰアドレス（無を含む）の対応データと、前記ユーザ認証番号，自席ＩＰ電話端末のＩＰアドレスの対応データとをデータベースに保存しており、
前記ユーザがＩＰ電話端末を前記ＬＡＮに接続すると、当該ＩＰ電話端末のＩＰアドレスが前記データベースに保存されていない場合には請求項１に記載のログイン、当該ＩＰ電話端末のＩＰアドレスが前記データベースに保存されている場合には請求項２に記載のログインが行われることを特徴とするＩＰ電話端末サービスシステム。
【請求項４】
ＩＰ電話端末とＬＡＮ接続されたＩＰ化対応の構内用電子交換機によるＩＰ電話端末サービスシステムにおいて、
前記構内用電子交換機は前記ユーザ認証番号対応にログイン状態のＩＰアドレスをログイン端末設定メモリに記憶しており、
ユーザが使用中のＩＰ電話端末のログアウト釦を押下すると、前記構内用電子交換機は、当該ＩＰ電話端末のＩＰアドレスを前記ログイン端末設定メモリから削除するとともに、対応するユーザ認証番号に対する自席のＩＰ電話端末のＩＰアドレスを前記データベースから検出して当該ＩＰ電話端末に通知し、
該ＩＰ電話端末は自席のＩＰ電話端末へ個人情報をアップロードしてログアウトすることを特徴とする請求項１ないし請求項３のいずれかに記載のＩＰ電話端末サービスシステム。
【請求項５】
前記ダウンロードまたはアップロードは、前記ＩＰ電話端末と自席のＩＰ電話端末とが前記ＬＡＮを介してピア・ツー・ピアで行われることを特徴とする請求項１ないし４のいずれかに記載のＩＰ電話端末サービスシステム。
【請求項６】
手動ログインモードまたは自動ログインモードを定める前記ＩＰアドレスのデータベースへの設定は、保守者が保守端末により予め設定し、またはユーザがＩＰ電話端末上の釦を操作することにより設定・変更することが可能であることを特徴とする請求項１ないし請求項５のいずれかに記載のＩＰ電話端末サービスシステム。
【請求項７】
ＩＰ電話端末とＬＡＮ接続されたＩＰ化対応の構内用電子交換機によるＩＰ電話端末サービス方法において、
前記構内用電子交換機が、前記ＩＰ電話端末毎に、ユーザ認証番号，パスワード，内線番号の対応データと、前記ユーザ認証番号，自席ＩＰ電話端末のＩＰアドレスの対応データとをデータベースに保存しておく段階と、
前記ユーザが任意のＩＰ電話端末を使用して、自己のユーザ認証番号とパスワードを入力すると、前記構内用電子交換機は、入力されたユーザ認証番号対応の内線番号と自席ＩＰ電話端末のＩＰアドレスとを前記データベースから検出して当該ＩＰ電話端末へ通知する段階と、
該ＩＰ電話端末は自席のＩＰ電話端末から個人情報をダウンロードしてログインする段階とを有することを特徴とするＩＰ電話端末サービス方法。
【請求項８】
ＩＰ電話端末とＬＡＮ接続されたＩＰ化対応の構内用電子交換機によるＩＰ電話端末サービス方法において、
前記構内用電子交換機は、前記ＩＰ電話端末毎に、ユーザ認証番号，パスワード，内線番号，ＩＰアドレスの対応データと、前記ユーザ認証番号，自席ＩＰ電話端末のＩＰアドレスの対応データとをデータベースに保存しておく段階と、
前記ユーザが自己のユーザ認証番号対応のＩＰ電話端末を前記ＬＡＮに接続すると、前記構内用電子交換機は、当該ＩＰ電話端末のＩＰアドレス対応のユーザ認証番号と内線番号、および自席ＩＰ電話端末のＩＰアドレスを前記データベースから検出して当該ＩＰ電話端末へ通知する段階と、
該ＩＰ電話端末は自席のＩＰ電話端末から個人情報をダウンロードしてログインする段階とを有することを特徴とするＩＰ電話端末サービス方法。
【請求項９】
ＩＰ電話端末とＬＡＮ接続されたＩＰ化対応の構内用電子交換機によるＩＰ電話端末サービス方法において、
前記構内用電子交換機は、前記ＩＰ電話端末毎に、ユーザ認証番号，パスワード，内線番号，ＩＰアドレス（無を含む）の対応データと、前記ユーザ認証番号，自席ＩＰ電話端末のＩＰアドレスの対応データとをデータベースに保存しておく段階と、
前記ユーザがＩＰ電話端末を前記ＬＡＮに接続すると、当該ＩＰ電話端末のＩＰアドレスが前記データベースに保存されていない場合には請求項７に記載のログイン、当該ＩＰ電話端末のＩＰアドレスが前記データベースに保存されている場合には請求項８に記載のログインを行う段階とを有することを特徴とするＩＰ電話端末サービス方法。
【請求項１０】
ＩＰ電話端末とＬＡＮ接続されたＩＰ化対応の構内用電子交換機によるＩＰ電話端末サービス方法において、
前記構内用電子交換機は前記ユーザ認証番号対応にログイン状態のＩＰアドレスをログイン端末設定メモリに記憶しておく段階と、
ユーザが使用中のＩＰ電話端末のログアウト釦を押下すると、前記構内用電子交換機は、当該ＩＰ電話端末のＩＰアドレスを前記ログイン端末設定メモリから削除するとともに、対応するユーザ認証番号に対する自席のＩＰ電話端末のＩＰアドレスを前記データベースから検出して当該ＩＰ電話端末に通知する段階と、該ＩＰ電話端末は自席のＩＰ電話端末へ個人情報をアップロードしてログアウトする段階とを有することを特徴とする請求項７ないし請求項９のいずれかに記載のＩＰ電話端末サービス方法。
【発明の詳細な説明】
【０００１】
【発明の属する技術分野】
本発明は、ローカルエリアネットワーク（以下、ＬＡＮと記す）を介して接続されたＩＰ化対応の構内用電子交換機（以下、ＩＰ−ＰＢＸと記す）とＩＰ電話端末とで構成されたＩＰ電話端末サービスシステムに関する。
【０００２】
【従来の技術】
一般に、内線電話機のケーブル配線および内線番号等のデータ設定は専門の保守者によって行われ、オフィス等内の固定の場所に電話線およびモジュラージャックが配置され、そのモジュラーポート（設置場所）と内線番号は括り付け（固定）となっている。したがって、仮にユーザが内線電話機の接続位置を入れ替えても、移動した内線電話機と共に電話番号が移動することはなく、接続場所と電話番号の関係は固定のままである。これを変更するには、専門の保守者によるデータ設定が必要である。
【０００３】
ところで、近年、ＩＰ（インターネットプロトコル）アドレスを有し、ＬＡＮに接続されるＩＰ電話端末が普及してきており、例えば、ＰＢＸにＩＰ電話端末を直接収容し、ケーブル配線をＬＡＮにより行い、ユーザが任意の場所にＩＰ電話端末を接続することを可能としたものが知られている（従来技術１。特許文献１参照）。
【０００４】
また、インターネットおよびＬＡＮ上に接続される電話機を、ＰＢＸに既に登録されている内線電話機の代わりに使用することを可能としものもある（従来技術２。例えば、特許文献２参照）。
【０００５】
【特許文献１】
特開平１１−３３１３７１（第１頁ー第１１頁、図１）
【特許文献２】
特開２００１−１６９３２１（第１頁ー第７頁、図１）
【０００６】
【発明が解決しようとする課題】
しかしながら、上述した従来技術１では、ＩＰ電話端末とユーザの使用する内線番号が１対１の括り付けとなっているため、他の場所で自分の内線番号を使用したい場合には、ＩＰ電話端末自体をその場所まで移動させる必要があるという問題点がある。
【０００７】
また、従来技術２では、内線電話機の代用としてＩＰ電話機を使用することはできるが、そのＩＰ電話機上で内線電話機のカスタマイズ情報を参照し、変更することはできないという問題点がある。
【０００８】
そこで、本発明の第１の目的は、任意の場所の任意のＩＰ電話端末においても自席のＩＰ電話端末を同じ感覚で使用できるＩＰ電話端末サービスシステムを提供することにある。
【０００９】
また、本発明の第２の目的は、上述のＩＰ電話端末の使用方法に、従来のＰＢＸにおけるのと同様の固定端末としてのＩＰ電話端末の使用方法を併存させ、ユーザの便宜を図ったＩＰ電話端末サービスシステムを提供することにある。
【００１０】
【課題を解決するための手段】
本発明の第１のＩＰ電話端末サービスシステムは、ＩＰ電話端末とＬＡＮ接続されたＩＰ化対応の構内用電子交換機によるＩＰ電話端末サービスシステムにおいて、構内用電子交換機は、ＩＰ電話端末毎に、ユーザ認証番号，パスワード，内線番号の対応データと、ユーザ認証番号，自席ＩＰ電話端末のＩＰアドレスの対応データとをデータベースに保存しており、ユーザが任意のＩＰ電話端末を使用して、自己のユーザ認証番号とパスワードを入力すると、構内用電子交換機は、入力されたユーザ認証番号対応の内線番号と自席ＩＰ電話端末のＩＰアドレスとをデータベースから検出して当該ＩＰ電話端末へ通知し、該ＩＰ電話端末は自席のＩＰ電話端末から個人情報をダウンロード（手動ログインという）することによってログインすることを特徴とする。
【００１１】
このように、ユーザは自分専用のユーザ認証番号とパスワードを入力することにより、任意の場所にある任意のＩＰ電話端末を使用して、あたかも自席にいるのと同じようにＩＰ電話端末および個人情報を利用することが可能になる。
【００１２】
本発明の第２のＩＰ電話端末サービスシステムは、ＩＰ電話端末とＬＡＮ接続されたＩＰ化対応の構内用電子交換機によるＩＰ電話端末サービスシステムにおいて、構内用電子交換機は、ＩＰ電話端末毎に、ユーザ認証番号，パスワード，内線番号，ＩＰアドレスの対応データと、ユーザ認証番号，自席ＩＰ電話端末のＩＰアドレスの対応データとをデータベースに保存しており、ユーザが自己のユーザ認証番号対応のＩＰ電話端末をＬＡＮに接続すると、構内用電子交換機は、当該ＩＰ電話端末のＩＰアドレス対応のユーザ認証番号と内線番号、および自席ＩＰ電話端末のＩＰアドレスをデータベースから検出して当該ＩＰ電話端末へ通知し、該ＩＰ電話端末は自席のＩＰ電話端末から個人情報をダウンロードすることによってログイン（自動ログインという）することを特徴とする。
【００１３】
これにより、ユーザは自己のユーザ認証番号が付されたＩＰ電話端末をＬＡＮに接続さえすれば、自動的に自席にいるのと同じようにＩＰ電話端末および個人情報を利用することが可能になる。
【００１４】
本発明の第３のＩＰ電話端末サービスシステムは、ＩＰ電話端末とＬＡＮ接続されたＩＰ化対応の構内用電子交換機によるＩＰ電話端末サービスシステムにおいて、構内用電子交換機は、ＩＰ電話端末毎に、ユーザ認証番号，パスワード，内線番号，ＩＰアドレス（無を含む）の対応データと、ユーザ認証番号，自席ＩＰ電話端末のＩＰアドレスの対応データとをデータベースに保存しており、ユーザがＩＰ電話端末をＬＡＮに接続すると、当該ＩＰ電話端末のＩＰアドレスがデータベースに保存されていない場合には手動ログイン、当該ＩＰ電話端末のＩＰアドレスがデータベースに保存されている場合には自動ログインが行われることを特徴とする。
【００１５】
このように、ＩＰ電話端末のログイン方法について、自動ログインモードと手動ログインモードの２種類のモードを設けることにより、従来のＰＢＸにおけるのと同様の固定端末（ＭＡＣアドレスと内線番号を括り付けるもので設置場所は問わない）としての使用方法（自動ログインモード）と、任意の場所にある任意のＩＰ電話端末において自席の内線番号を使用して通話が行えるという使用方法（手動ログインモード）の２つの使用方法を提供することによって、ユーザの便宜を図ることができる。
【００１６】
本発明の第４のＩＰ電話端末サービスシステムは、ＩＰ電話端末とＬＡＮ接続されたＩＰ化対応の構内用電子交換機によるＩＰ電話端末サービスシステムにおいて、構内用電子交換機は前記ユーザ認証番号対応にログイン状態のＩＰアドレスをログイン端末設定メモリに記憶しており、ユーザが使用中のＩＰ電話端末のログアウト釦を押下すると、構内用電子交換機は、当該ＩＰ電話端末のＩＰアドレスをログイン端末設定メモリから削除するとともに、対応するユーザ認証番号に対する自席のＩＰ電話端末のＩＰアドレスをデータベースから検出して当該ＩＰ電話端末に通知し、該ＩＰ電話端末は自席のＩＰ電話端末へ個人情報をアップロードしてログアウトすることを特徴とする。
【００１７】
このように、使用中に追加，修正，削除された個人情報を自席のＩＰ電話端末にアップロードすることにより、自席のＩＰ電話端末に保存されている個人情報を更新することができる。
【００１８】
なお、好ましくは、ダウンロードまたはアップロードは、ＩＰ電話端末と自席のＩＰ電話端末とがＬＡＮを介してピア・ツー・ピアで行われる。これにより、ダウンロードまたはアップロード時における個人情報の漏洩を防止することができる。
【００１９】
更に、好ましくは、手動ログインモードまたは自動ログインモードを定めるＩＰアドレスのデータベースへの設定は、保守者が保守端末により予め設定し、またはユーザがユーザ認証番号とパスワードを使用して設定・変更することを可能とする。これにより、端末作業環境の変更を容易化するとともに、他人による端末作業環境の破壊を防止できる。
【００２０】
【発明の実施の形態】
次に、本発明の実施の形態について図面を参照しながら説明する。
【００２１】
【構成の説明】
図１は，本発明のＩＰ電話端末サービスシステムが適用される電話交換システムの構成を示すブロック図である。図１に示されるように、本電話交換システムのＩＰ−ＰＢＸ１には、内線電話機４が直接に接続され、また局線５を介して公衆網６、専用線７を介して専用線網８が接続されている。
【００２２】
更に、ＩＰ−ＰＢＸ１には、ＬＡＮ３を介して３つのＩＰ電話端末２−１〜２−３が接続され、ＬＡＮ３はルータ９を介してＩＰネットワーク１００に接続されている。図示を省略するが、ＩＰネットワーク１００には他のルータを介して他のＩＰ電話端末が接続され得る。なお、ＩＰ電話端末とは、インターネット・プロトコルによりネット接続される電話機をいい、ＩＰ多機能電話機，ＩＰ対応ＰＣ電話機，ＩＰ対応ＰＨＳなどを含む。
【００２３】
図２はＩＰ−ＰＢＸ１の詳細図を示す。図２を参照すると、ＩＰ−ＰＢＸ１は、制御の中核部である中央演算装置１０，テンポラリとして使用されるメモリ１１，ＩＰ電話端末２（ＩＰ電話端末２−１〜２−３を代表する）を制御するために使用されるデータベース１２，ＬＡＮ３と接続するためのＬＡＮインタフェース回路１３、及び音声データをパケットデータに変換／復調するための二重化された音声変換回路１４−１と１４−２を含んでおり、これらは内部バス１５を介して接続されている。
【００２４】
更に、内部バス１５に接続された時分割スイッチ１９を備え、時分割スイッチ１９は、ライン回路１６を介して内線電話機４、トランク回路１７−１を介して局線５、トランク回路１７−２を介して専用線７を時分割で切替制御する。レジスタ回路１８はこの切替制御のために使用される。
【００２５】
このように、ＩＰ−ＰＢＸ１は、一般に構内用電子交換機と呼ばれる従来局線やアナログ内線等を制御していた構内用電子交換機に、音声変換回路１４−１，１４−２およびＬＡＮインタフェース回路１３を具備し、ＬＡＮ３に接続されるＩＰ電話端末２の制御を実現し、従来別のネットワークであった構内交換網とコンピュータネットワークとをＶｏＩＰ通信により音声・データの統合を図ることにより、オフィス内ネットワークのフルＩＰ化を実現したものである。
【００２６】
図３はＩＰ電話端末２の詳細図を示す。図３を参照すると、ＩＰ電話端末２は、ユーザが入力を行うための入力処理部２０と、メッセージ表示やユーザ入力が行われる際に使用される画面表示部２１と、データベース部２２とを備えている。データベース部２２は、ユーザが設定しているＩＰ電話端末２上のキー対応の可変短縮ダイヤルデータ，電話番号帳，個人スケジュール，電子メールアドレスや住所録等の個人情報を保存している。
【００２７】
ここに、ＩＰ電話端末２とは、ＩＰ多機能電話機・ＩＰ対応ＰＨＳ接続装置・ＩＰ対応のＰＣ電話機（パーソナルコンピュータ上で動作するアプリケーション型電話機）などを意味する。ＰＣ電話機は、ＰＣに専用のアプリケーション（電話機ソフト）をインストールすることにより使用可能となるＩＰ電話端末である。専用アプリケーションは、電話機能の他に、電話番号帳，個人スケジュール表管理，電子メールなどのソフト機能を具備している。ＩＰ電話端末２を使用する各ユーザは、自分専用（自席）のＩＰ電話端末，ユーザ認証番号およびパスワードを保持している。
【００２８】
図４は、ＩＰ電話端末２の平面図を示す。図４を参照すると、受話器２３の右側に画面表示部２１および入力処理部２０が配置されている。データベース部２２は外から見えない。入力処理部２０は、パスワード変更釦２０−１，ログインモード変更釦２１−１およびログアウト釦２０−３を備えている。これらの釦の使用方法は後述する。
【００２９】
図５は、データベース１２に格納されているユーザ認証番号，パスワード，内線番号及びＩＰアドレスの対応データを表示する。図５を参照すると、データベース１２は、ＩＰ−ＰＢＸ１が制御する全ＩＰ電話端末２毎に、内線番号，ユーザ認証番号，パスワード及びＩＰアドレスを格納している。これらのデータは、保守者により予め設定され保持される。パスワードとＩＰアドレスは、ユーザにより設定変更が可能である。
【００３０】
ＩＰアドレスは、以下に詳述するように、ログインモード（自動／手動）の判定に使用される。図５の内線１０１や内線１０４のように、ＩＰアドレスが設定されている場合には自動ログインモードとなり、内線１０２や内線１０３のように設定されていない場合には手動モードとなる。なお、図５のデフォルトとしての設定内容は、後述するように、ユーザによって変更することができる。
【００３１】
図６は、データベース１２に格納されているユーザ認証番号と自席ＩＰアドレスの対応データを表示する。自席ＩＰアドレスとは、ユーザの自席のＩＰ電話端末２のＩＰアドレスをう。
【００３２】
図７は、本システム運用中のある時点におけるログイン端末設定メモリ（メモリ１１の一部）の内容を例示する。これは、ログイン状態にあるＩＰ電話端末２のＩＰアドレスをユーザ認証番号毎に表示するものである。ログイン状態は、自動ログインモードによる他、手動ログインモードによっても実現できる。したがって、図５のＩＰアドレスの欄が空白であるユーザ認証番号であっても、図７のログイン端末設定メモリ上はＩＰアドレスの欄に記入があり得る。
【００３３】
ここで、以上のように構成された本発明の電話交換システムの一般的な動作について簡単に説明する。
【００３４】
先ず、音声を使用する内線電話機４の電話機等と、音声データを使用するＩＰ電話端末２との通話方法について説明する。内線電話機４や公衆網６及び専用線網８からＩＰ電話端末２に発信された場合、ライン回路１６やトランク回路１７−１〜１７−２を介して中央演算装置１０が発信を検出し、ＬＡＮインタフェース回路１３を経由してＩＰ電話端末２と制御データの送受信を行う。これにより、音声データを送信するための通話路を確立し音声データの送受信が可能となる。
【００３５】
発信された音声は，時分割スイッチ１９によりスイッチングされた後、音声変換回路１４により音声データパケットに変換され、ＬＡＮ３上に送信されることによりＩＰ電話端末２に到達する。これに応答して、ＩＰ電話端末２からＬＡＮ３上に発信された音声データパケットは、音声変換回路１４により音声に変換され、時分割スイッチ１９によりスイッチングされることにより内線電話機４や公衆網６及び専用線網８に到達する。このようにして通話が行われる。
【００３６】
次に、音声データを使用するＩＰ電話端末２同士、例えばＩＰ電話端末２−１とＩＰ電話端末２−２の間の音声データの通話方法について説明する。ＩＰ電話端末２−１からＩＰ電話端末２−２に発信された場合、中央演算装置１０が発信を検出しＬＡＮインタフェース回路１３を経由してＩＰ電話端末２−２と制御データの送受信を行う。これにより、音声データを送信するための通話路が確立され、これ以降はＩＰ電話端末２−１と２−２の間においてピア・ツー・ピア接続による音声データの送受信が行われる。このようにして通話が行われる。なお、ピア・ツー・ピア接続とは、ＩＰ端末同士を時分割スイッチを経由しないで直接ＩＰで接続し、ＩＰネットワークインフラ上で利用可能とする接続方式である。
【００３７】
【動作の説明】
さて、以上のように構成された本発明のＩＰ電話端末システムの動作について、図８〜図１７をも参照して詳細に説明する。
【００３８】
１．ログイン
初めに、ＩＰ電話端末２をＬＡＮ３に接続し、ログイン（使用可能）状態にするためのシーケンスについて図１４に沿って説明する。
【００３９】
ＩＰ電話端末２をログイン状態にするための方法として、自動ログインモードと手動ログインモードの２つのモードが存在する。自動ログインモードは、ＩＰ電話端末２をＬＡＮ３に接続するだけで、自動的に内線番号が割り当てられＩＰ電話端末２を電話機として使用することが可能となるモードである。一方、手動ログインモードは、ＩＰ電話端末２をＬＡＮ３に接続すると、ユーザ認証番号とパスワードの入力を求められ、ユーザが保有する自分専用のユーザ認証番号とパスワードを入力することにより、ユーザ認証番号に対応した個人の内線番号が割り当てられＩＰ電話端末２を電話機として使用することが可能となるモードである。
【００４０】
１．１  自動ログイン
自動ログインモードのシーケンスについて、ログインするＩＰ電話端末２のＩＰアドレスを「ＩＰ２０８」として説明する。
【００４１】
ＩＰ電話端末２（ＩＰ２０８）をＬＡＮ３に接続すると（図１４のステップＡ１）、ＩＰ電話端末２（ＩＰ２０８）からＩＰ−ＰＢＸ１に対して、ＩＰアドレス「ＩＰ２０８」の情報を含めた初期設定要求が通知される（ステップＡ２）。初期設定要求を受信したＩＰ−ＰＢＸ１は、受信した情報からデータベース１２上のデータ（図５）において該当するＩＰアドレス「ＩＰ２０８」の登録が有るか検索する（ステップＡ３）。
【００４２】
検索した結果、図５に示すようにＩＰアドレス「ＩＰ２０８」の登録が存在することから、ＩＰアドレス「ＩＰ２０８」が検出されるので（ステップＡ４でＹＥＳ）、ＩＰアドレスが「ＩＰ２０８」であるＩＰ電話端末２（ＩＰ２０８）は自動ログインモードであると判断される。同時に、図５のデータベース１２の保存内容から、本ＩＰ電話端末２（ＩＰ２０８）を自動的にログイン状態にするために必要な内線番号データが内線１０４であり、ユーザ認証番号がＵＳＲ４であることがわかる（ステップＡ１１）。
【００４３】
続いて、図７に示されるログイン端末設定メモリにＩＰ電話端末２（ＩＰ２０８）のユーザ認証番号ＵＳＲ４に対応したＩＰアドレスの欄にＩＰ２０８を設定する（ステップＡ１２）。これにより、ＩＰ電話端末２（ＩＰ２０８）はログイン状態になる。また、データベース１２上のデータ（図６）の格納内容においてユーザ認証番号ＵＳＲ４に対応する自席ＩＰアドレスを検索し、自席ＩＰアドレス「ＳＩＰ４」を得る。この後、ＩＰ電話端末２（ＩＰ２０８）に内線番号「内線１０４」と自席ＩＰアドレス「ＩＰ４」を伴ったサービス開始通知の送信を行う（ステップＡ１４）。
【００４４】
ＩＰ電話端末２（ＩＰ２０８）は、このサービス開始通知を受信することにより、自席のＩＰ電話端末２（ＳＩＰ４）とＬＡＮ３を介してピア・ツー・ピアで自動的に接続される。これにより、自席のＩＰ電話端末２（ＳＩＰ４）のデータベース部２２に保存されている個人情報を外部への漏洩を防止しつつダウンロード（ステップＡ１５）することができる。この結果、ＩＰ電話端末２（ＩＰ２０８）を自席のＩＰ電話端末２（ＳＩＰ４）として使用するための動作環境が構築できたことになる。個人情報のダウンロード終了後、ＩＰ電話端末２（ＩＰ２０８）はログイン完了となり（ステップＡ１６）、以後、ＩＰ電話端末２（ＩＰ２０８）を内線番号「内線１０４」として使用することが可能となる。
【００４５】
１．２  手動ログイン
手動ログインモードのシーケンスについて、ログインするＩＰ電話端末２のＩＰアドレスを「ＩＰ１１」として説明する。
【００４６】
ＩＰ電話端末２（ＩＰ１１）をＬＡＮ３に接続すると（図１４のステップＡ１）、ＩＰ電話端末２（ＩＰ１１）からＩＰ−ＰＢＸ１に対して、ＩＰアドレス「ＩＰ１１」の情報を含めた初期設定要求が通知される（ステップＡ２）。初期設定要求を受信したＩＰ−ＰＢＸ１は、受信した情報からデータベース１２において該当するＩＰアドレス「ＩＰ１１」の登録が有るか検索する（ステップＡ３）。
【００４７】
検索した結果、データベース１２上のデータ（図５）にＩＰアドレス「ＩＰ１１」の登録が存在しないことが分かると（ステップＡ４でＮＯ）、ＩＰアドレスがＩＰ１１であるＩＰ電話端末２（ＩＰ１１）は手動ログインモードであると判断される。これにより、ＩＰ−ＰＢＸ１は、ＩＰ電話端末２（ＩＰ１１）に対してユーザ入力要求を通知する（ステップＡ５）。
【００４８】
ユーザ入力要求を受信したＩＰ電話端末２（ＩＰ１１）は、画面表示部２１にログインプロンプト（図１１）を表示し（ステップＡ６）、ユーザの入力待ち状態となる。ユーザは、ＩＰ電話端末２（ＩＰ１１）の入力処理部２０から、ログインプロンプトのＬｏｇｉｎ部にユーザ認証番号（ここでは「ＵＳＲ２６」とする）、ログインプロンプトのＰａｓｓｗｏｒｄ部にパスワード（ここでは「ＰＷ２６」とする）をそれぞれ入力する（ステップＡ７）。これにより、ＩＰ電話端末２（ＩＰ１１）からＩＰ−ＰＢＸ１へ、ユーザ認証番号（ＵＳＲ２６）とパスワード（ＰＷ２６）を伴ったユーザ入力応答が返信される（ステップＡ８）。
【００４９】
ユーザ入力応答を受信したＩＰ−ＰＢＸ１は、ＩＰ電話端末２（ＩＰ１１）から受信したユーザ認証番号（ＵＳＲ２６）をキーにデータベース１２上のデータ（図５）を検索し、該当する内線番号「内線１２６」とパスワード「ＰＷ２６」を得る（ステップＡ９）。そして、検出したパスワード「ＰＷ２６」と、ＩＰ電話端末２（ＩＰ１１）から受信したパスワード「ＰＷ２６」との照合を行う（ステップＡ１０）。照合結果が不一致（ステップＡ１０でＮＯ）の場合は、ユーザ入力要求を再度送信する（ステップＡ５）。
【００５０】
ここでは，照合結果が一致（ステップＡ１０でＹＥＳ）するため、図７に示したログイン端末設定メモリのユーザ認証番号ＵＳＲ２６に対応する欄にＩＰアドレス「ＩＰ１１」を設定する（ステップＡ１２）。また、データベース１２上のデータ（図６）においてユーザ認証番号ＵＳＲ２６に対応する自席ＩＰアドレスを検索し（ステップＡ１３）、自席ＩＰアドレス「ＳＩＰ２６」を得る。この後、ＩＰ電話端末２（ＩＰ１１）に内線番号「内線１２６」と自席ＩＰアドレス「ＳＩＰ２６」を伴ったサービス開始通知の送信を行う（ステップＡ１４）。
【００５１】
ＩＰ電話端末２（ＩＰ１１）は、このサービス開始通知を受信することにより、自席のＩＰ電話端末２（ＳＩＰ４）とＬＡＮ３を介してピア・ツー・ピアで自動的に接続される。これにより、自席のＩＰ電話端末２（ＳＩＰ４）のデータベース部２２に保存されている個人情報を外部への漏洩を防止しつつダウンロード（ステップＡ１５）することができる。この結果、ＩＰ電話端末２（ＩＰ１１）を自席のＩＰ電話端末２（ＳＩＰ４）として使用するための動作環境が構築できたことになる。個人情報のダウンロード終了後、ＩＰ電話端末２（ＩＰ１１）はログイン完了となり（ステップＡ１６）、以後、ＩＰ電話端末２（ＩＰ１１）を内線番号「内線１２６」として使用することが可能となる。
【００５２】
前述の自動ログインモードでは、ユーザは自席ＩＰ電話端末２（ＳＩＰ４）対応のユーザ認証番号ＵＳＲ４がデータベース１２に登録されているＩＰ電話端末２（ＩＰ２０８）によってのみ、自席ＩＰ電話端末２（ＳＩＰ４）として使用できた。これに対して、手動ログインによれば、ユーザは任意のＩＰ電話端末２を使用しても、ユーザ認証番号とパスワードを入力することによって、そのＩＰ電話端末２を自席ＩＰ電話端末２（ＳＩＰ４）として使用できるようになる。
【００５３】
２．パスワードの変更
次に、ＩＰ電話端末２からユーザ認証番号に対するパスワードを変更する際のシーケンスについて図１５に沿って説明する。ここで使用するＩＰ電話端末２のＩＰアドレスを「ＩＰ２０８」、ユーザ認証番号を「ＵＳＲ４」、旧パスワードを「ＰＷ４」、新パスワードを「ＮＰ４」とする。
【００５４】
ＩＰ電話端末２（ＩＰ２０８）を図１４のシーケンスによりログイン状態にした後、ＩＰ電話端末２（ＩＰ２０８）の入力処理部２０が備えているパスワード変更釦２０−１（図４参照）を押下する（図１５のステップＢ１）。これにより、ＩＰ電話端末２（ＩＰ２０８）からＩＰ−ＰＢＸ１へパスワード変更要求が通知される（ステップＢ２）。
【００５５】
パスワード変更要求を受信したＩＰ−ＰＢＸ１は、ユーザ入力要求をＩＰ電話端末２（ＩＰ２０８）へ送信する（ステップＢ３）。ＩＰ電話端末２（ＩＰ２０８）は，ユーザ入力要求を受信すると、画面表示部２１にパスワード変更プロンプト（図１２）を表示し（ステップＢ４）、ユーザの入力待ち状態となる。ユーザはＩＰ電話端末２（ＩＰ２０８）の入力処理部２０から、パスワード変更プロンプトのＬｏｇｉｎ部に自分のユーザ認証番号「ＵＳＲ４」、パスワード変更プロンプトのＯｌｄ  Ｐａｓｓｗｏｒｄ部に旧パスワード「ＰＷ４」を入力する（ステップＢ５）。パスワードの変更はログイン状態で行われるので、ユーザ認証番号は入力済みであるが（図１４のステップＡ７）、パスワード変更にあたり改めて入力を要請するのである。
【００５６】
旧パスワード「ＰＷ４」を入力すると、図１２に示すように、パスワード変更プロンプトが切り替わるので、ユーザはパスワード変更プロンプトのＮｅｗ  Ｐａｓｓｗｏｒｄ部に新パスワード「ＮＰ４」を２回入力する（ステップＢ５）。これは、ユーザのパスワード設定ミスを防止するためである。これにより、ＩＰ−ＰＢＸ１に対して、ユーザ認証番号と旧パスワードと新パスワード（２回入力分）を伴ったユーザ入力応答が返信される（ステップＢ６）。
【００５７】
ユーザ入力応答を受信したＩＰ−ＰＢＸ１は、データベース１２上のデータ（図５）からユーザ認証番号ＵＳＲ４をキーに検索し、該当するパスワード「ＰＷ４」を検出する（ステップＢ６）。次に、検出したパスワード「ＰＷ４」と、受信した旧パスワード「ＰＷ４」の照合を行う（ステップＢ７）。照合の結果、不一致の場合（ステップＢ８でＮＯ）は、ＩＰ電話端末２（ＩＰ２０８）に対して、画面表示要求（エラー：旧パスワード不一致）を送信する（ステップＢ９）。ＩＰ電話端末２（ＩＰ２０８）は画面表示部２１にメッセージ「エラー：旧パスワード不一致」を表示する８ステップＢ１５）。
【００５８】
ここでは、照合の結果が一致するので（ステップＢ８でＹＥＳ）、２回入力され送信されてきている新パスワード「ＮＰ４」同士の照合を行う。照合結果が不一致の場合には（ステップＢ１１でＮＯ）、ＩＰ電話端末２（ＩＰ２０８）に対して画面表示要求（エラー：新パスワード不一致）を送信する（ステップＢ１２）。ＩＰ電話端末２（ＩＰ２０８）は画面表示部２１にメッセージ「エラー：新パスワード不一致」を表示する８ステップＢ１５）。
【００５９】
ここでは照合結果が一致するため（ステップＢ１１でＹＥＳ）、データベース１２上のデータ（図５）のユーザ認証番号「ＵＳＲ４」に対応する欄のパスワードを「ＰＷ４」から「ＮＰ４」に更新する（ステップＢ１３）。パスワードが更新されると、データベース１２上のデータ（図５）は図８に示すようになる。
【００６０】
この後、ＩＰ−ＰＢＸ１は、ＩＰ電話端末２（ＩＰ２０８）へ画面表示要求（正常：パスワード変更完了）の送信を行う（ステップＢ１３）。ＩＰ電話端末２（ＩＰ２０８）は画面表示要求を受信した場合、画面表示部２１にメッセージ「正常：パスワード変更完了」を表示して（ステップＢ１５）パスワード変更処理を終了する。
【００６１】
３．ログインモードの変更
次に、ＩＰ電話端末２からユーザ認証番号に対するログインモードを変更する際のシーケンスについて図１６に沿って説明する。ここで使用するＩＰ電話端末２のＩＰアドレスを「ＩＰ１１」、ユーザ認証番号を「ＵＳＲ２６」、パスワードを「ＰＷ２６」とする。
【００６２】
ＩＰ電話端末２（ＩＰ１１）を図１４のシーケンスによりログイン状態にした後、ＩＰ電話端末２（ＩＰ１１）の入力処理部２０が備えているログインモード変更釦２０−２（図４参照）を押下する（図１６のステップＣ１）。これにより、ＩＰアドレスを「ＩＰ１１」を伴ったログインモード変更要求がＩＰ電話端末２（ＩＰ１１）からＩＰ−ＰＢＸ１へ通知される（ステップＣ２）。
【００６３】
ログインモード変更要求を受信したＩＰ−ＰＢＸ１は、データベース１２上のデータ（図５）において、受信したＩＰアドレス「ＩＰ１１」を検索する（ステップＣ３）。検索の結果、この動作例ではＩＰ１１を検出できないため（ステップＣ４でＮＯ）、現在のログインモードは手動ログインモードと判断される。仮に、ＩＰ１１が存在した場合には（ステップＣ４でＹＥＳ）、現在のログインモードは自動ログインモードということになる。
【００６４】
現在のログインモードが決定（ここでは手動ログインモード）した後、ＩＰ−ＰＢＸ１は、上記検出したログインモードを伴ったユーザ入力要求をＩＰ電話端末２（ＩＰ１１）へ通知する（ステップＣ７）。ＩＰ電話端末２（ＩＰ１１）は、ユーザ入力要求を受信すると、画面表示部２１にログインモード変更プロンプト（図１３）を表示する（ステップＣ８）。ログインモード変更プロンプト（図１３）のＬｏｇｉｎ  Ｍｏｄｅ部に現在のログインモードである手動ログインモードを示す「Ｓｅｌｆ」を表示して、ユーザの入力待ち状態となる。ユーザは、ＩＰ電話端末２（ＩＰ１１）の入力処理部２０から、ログインモード変更プロンプト（図１３）のＮｅｗ  Ｍｏｄｅ部に「Ｓｅｌｆ」または「Ａｕｔｏ」（この動作例では「Ａｕｔｏ」）を選択することによって新しいログインモードを入力する（ステップＣ９）。
【００６５】
これにより、ユーザ認証番号と新ログインモードを伴ったユーザ入力応答がＩＰ電話端末２（ＩＰ１１）からＩＰ−ＰＢＸ１へ返信される（ステップＣ１０）。ユーザ入力応答を受信したＩＰ−ＰＢＸ１は、受信した新ログインモードが手動／自動のどちらであるか判定する（ステップＣ１１）。仮にログインモードが手動ログインモードである場合（ステップＣ１１でＮＯ）、データベース１２上のデータ（図５）からユーザ認証番号をキーにして検索し、該当する欄のＩＰアドレスを削除する（ステップＣ１２）。なお、ユーザ認証番号は、ログイン時において既にＩＰ−ＰＢＸ１に入力している（図１４のステップＡ８）。
【００６６】
本動作例では受信したログインモードは自動ログインモードであるため（ステップＣ１１でＹＥＳ）、データベース１２上のデータ（図５）でユーザ認証番号ＵＳＲ２６に対応するＩＰアドレス欄に「ＩＰ１１」を登録する（ステップＣ１３）。ログインモードが変更されると、データベース１２上のデータ（図５）は図９に示すようになる。
【００６７】
この後、ＩＰ−ＰＢＸ１は、ＩＰ電話端末２（ＩＰ１１）へ画面表示要求（ログインモード変更完了）の送信を行う（ステップＣ１４）。画面表示要求を受信したＩＰ電話端末２（ＩＰ１１）は、画面表示部２１にメッセージ「ログインモード変更完了」を表示して（ステップＣ１４）、ログインモード変更処理を終了する。
【００６８】
４．ログアウト
最後に、ＩＰ電話端末２をログアウトする際のシーケンスについて図１７に沿って説明する。ここで使用するＩＰ電話端末２のＩＰアドレスを「ＩＰ６７」、ＵＳＲ認証番号を「ＵＳＲ１」とする。
【００６９】
ＩＰ電話端末２（ＩＰ６７）を図１４のシーケンスによりログイン状態にした後、入力処理部２０が備えているるログアウト釦２０−３を押下する（図１７のステップＤ１）。これにより、ＩＰ電話端末２（ＩＰ６７）からＩＰ−ＰＢＸ１にログアウト要求が通知される（ステップＤ２）。
【００７０】
ログアウト要求を受信したＩＰ−ＰＢＸ１は、ログイン端末設定メモリ（図７）のユーザ認証番号ＵＳＲ１に対応する箇所のＩＰアドレス「ＩＰ６７」を削除する（ステップＤ３）。この結果、ログイン端末設定メモリ（図７）は図１０のようになる。また、データベース１２上のデータ（図６）においてユーザ認証番号ＵＳＲ１に対応する自席ＩＰアドレスを検索し、自席ＩＰアドレス「ＳＩＰ１」を得る（ステップＤ４）。なお、ユーザ認証番号は、ログイン時において既にＩＰ−ＰＢＸ１に入力している（図１４のステップＡ８）。
【００７１】
この後、ＩＰ−ＰＢＸ１はＩＰ電話端末２（ＩＰ６７）へ自席ＩＰアドレス「ＳＩＰ１」とログインプロンプトを含むユーザ入力要求を通知する（ステップＤ５）。ユーザ入力要求を受信したＩＰ電話端末２（ＩＰ６７）は、自席のＩＰ電話端末２（ＳＩＰ１）とピア・ツー・ピア接続を行うことにより、ＩＰ電話端末２（ＩＰ６７）からＩＰ電話端末２（ＳＩＰ１）へ個人情報をアップロードする（ステップＤ６）。これは、ログイン中に得た追加，修正，削除された個人情報によって、自席ＩＰ電話端末２（ＳＩＰ１）が保存している個人情報を更新するものである。
【００７２】
アップロード終了後、ＩＰ電話端末２（ＩＰ６７）の画面表示部２１にログインプロンプト（図１１）を表示し（ステップＤ７）、ユーザからのユーザ認証番号とパスワードの入力待ち状態（＝ログアウト状態）となる（ステップＤ８）。
【００７３】
以上のようにして、任意の場所にある任意のＩＰ電話端末２を使用して、ユーザが自分専用のユーザ認証番号とパスワードを入力することにより、ＩＰ電話端末２にログインした場合に，自席のＩＰ電話端末からカスタマイズされた個人情報が自動的にダウンロードされ、あたかも自席にいるのと同じように、ＩＰ電話端末２及び個人情報を利用することが可能となる。
【００７４】
【発明の効果】
本発明の第１の効果は、任意の場所にある任意のＩＰ電話端末であっても、自席のＩＰ電話端末に設定してある個人のデータベースがそのまま使用可能であることから、自席から離れた任意の場所において自席にいるのと同様の作業環境でＩＰ電話端末を使用することが可能になるということである。
【００７５】
また、第２の効果は、ＩＰ電話端末のログイン方法について手動ログインモードと自動ログインモードの２種類のモードを設けることにより、従来のＰＢＸと同様の固定端末としての使用方法（自動ログインモード）と、任意の場所にある任意のＩＰ電話端末においても自席の内線番号を使用して通話が行えるという使用方法（手動ログインモード）の２つの使用方法を提供することにより、ユーザの便宜を図ったサービスを提供できるようになるということである。
【００７６】
更に、第３の効果は、各ユーザがＩＰ電話端末に対して専用のユーザ認証番号とパスワードを持ち、第３者が端末作業環境を使用することが不可能であることから、以前は他者が自分のＩＰ端末を使用した際に行われる可能性があった個人のデータベース環境の変更もしくは破壊するのを防止することが可能になるということである。
【図面の簡単な説明】
【図１】本発明のＩＰ電話端末サービスシステムが適用される電話交換システムのブロック図
【図２】図１におけるＩＰ−ＰＢＸ１の詳細ブロック図
【図３】図１におけるＩＰ電話機の詳細ブロック図
【図４】図１におけるＩＰ電話機の平面図
【図５】図１におけるデータベース１２に格納されているユーザ認証番号，パスワード，内線番号及びＩＰアドレスの対応データを表示する図
【図６】図１におけるデータベース１２に格納されているユーザ認証番号と自席ＩＰアドレスの対応データを表示する図
【図７】本システム運用中のある時点におけるログイン端末設定メモリ（メモリ１１の一部）の内容を例示する図
【図８】パスワード変更後の図５対応図
【図９】ログインモード変更後の図６対応図
【図１０】ログアウト後の図７対応図
【図１１】本発明のＩＰ電話端末におけるログインプロンプトを示す図
【図１２】本発明のＩＰ電話端末におけるパスワード変更プロンプトを示す図
【図１３】本発明のＩＰ電話端末システムにおけるログインモード変更プロンプトを示す図
【図１４】本発明のＩＰ電話端末システムにおけるログイン時のシーケンス図
【図１５】本発明のＩＰ電話端末システムにおけるパスワード変更時のシーケンス図
【図１６】本発明のＩＰ電話端末システムにおけるログインモード変更時のシーケンス図
【図１７】本発明のＩＰ電話端末システムにおけるログアウト時のシーケンス図
【符号の説明】
１        ＩＰ−ＰＢＸ
２        ＩＰ電話端末
３        ＬＡＮ
４        内線電話機
５        局線
６        公衆網
７        専用線
８        専用線網
９        ルータ
１０      中央演算装置
１１      メモリ
１２      データベース
１３      ＬＡＮインタフェース回路
１４      音声変換回路
１５      内部バス
１６      ライン回路
１７      トランク回路
１８      レジスタ回路
１９      時分割スイッチ
２０      入力処理部
２０−１      パスワード変更釦
２０−２      ログインモード変更釦
２０−３      ログアウト釦
２１      画面表示部
２２      データベース部
２３      受話器
１００      ＩＰネットワーク
【図１】
2004320629.tif 000003
【図２】
2004320629.tif 000004
【図３】
2004320629.tif 000005
【図４】
2004320629.tif 000006
【図５】
2004320629.tif 000007
【図６】
2004320629.tif 000008
【図７】
2004320629.tif 000009
【図８】
2004320629.tif 000010
【図９】
2004320629.tif 000011
【図１０】
2004320629.tif 000012
【図１１】
2004320629.tif 000013
【図１２】
2004320629.tif 000014
【図１３】
2004320629.tif 000015
【図１４】
2004320629.tif 000016
【図１５】
2004320629.tif 000017
【図１６】
2004320629.tif 000018
【図１７】
2004320629.tif 000019